(57)【要約】      （修正有）【課題】組立て可能又は持ち運び易い傘立てを提供する。【解決手段】広告取り付けフレーム１の底部は横梁であり、横梁は左ブラケット９、右ブラケット２に固定して接続され、右ブラケットの右上部に右収納箱３が、且つ右ブラケットの左上部に左収納箱１０が取り付けられ、横梁の底部に収納トレイ４が取り付けられ、収納トレイの右側に右ハンガー６が取り付けられ、同時に収納トレイの左側に左ハンガー８が取り付けられ、右ブラケットの底部は底部ベース７内部の左側に固定して接続され、且つ左ブラケットの底部は底部ベース内部の右側に固定して接続される。収納トレイ、２組の収納箱及び２組のハンガーを２組のブラケットから取り外すことができ、且つ同時に底部ベースと２組のブラケットを取り外すことができ、取り外した後は運搬及び移動が容易であり、且つ傘立て本体の容積を小さくする。【選択図】図１
0003233090.tif 000002
【実用新案登録請求の範囲】
【請求項１】
広告取り付けフレーム（１）を含み、
前記広告取り付けフレーム（１）の底部は横梁（１１）であり、且つ横梁（１１）の左側は左ブラケット（９）に固定して接続され、同時に横梁（１１）の右側は右ブラケット（２）に固定して接続され、右ブラケット（２）の右上部に右収納箱（３）が取り付けられ、且つ右ブラケット（２）の左上部に左収納箱（１０）が取り付けられ、
前記横梁（１１）の底部に収納トレイ（４）が取り付けられ、且つ収納トレイ（４）の右側に右ハンガー（６）が取り付けられ、同時に収納トレイ（４）の左側に左ハンガー（８）が取り付けられ、
前記右ブラケット（２）の底部は底部ベース（７）内部の左側に固定して接続され、且つ左ブラケット（９）の底部は底部ベース（７）内部の右側に固定して接続され、同時に左ブラケット（９）、右ブラケット（２）、収納トレイ（４）、２組の収納箱及び２組のハンガーは一つに組み合わされて傘立て本体（５）を構成することを特徴とする、傘立て。
【請求項２】
前記広告取り付けフレーム（１）の底部に挿し棒（２０）が取り付けられ、且つ横梁（１１）の上端に差し込み孔（１２）が設けられ、差し込み孔（１２）は挿し棒（２０）のサイズに適合し、同時に広告取り付けフレーム（１）は底部の挿し棒（２０）を介して横梁（１１）の表面に設けられた差し込み孔（１２）の内部に挿入されることを特徴とする、請求項１に記載の傘立て。
【請求項３】
前記右収納箱（３）と左収納箱（１０）は横梁（１１）を中心とした対称構造であり、且つ右収納箱（３）と左収納箱（１０）の端部にはいずれも係止プレート（１３）が溶接され、右ブラケット（２）と左ブラケット（９）の外側にはいずれも係止プレートポジション（１４）が設けられ、係止プレートポジション（１４）は係止プレート（１３）のサイズに適合し、右収納箱（３）と左収納箱（１０）はそれぞれその上にある係止プレート（１３）を介してそれぞれ右ブラケット（２）と左ブラケット（９）の外側に設けられた係止プレートポジション（１４）の内部に係合されることを特徴とする、請求項１に記載の傘立て。
【請求項４】
前記収納トレイ（４）は右ブラケット（２）と左ブラケット（９）の間に３組設置され、且つ隣接する２組の収納トレイ（４）の間の距離は等しく、収納トレイ（４）の両端にはいずれも保護プレートが固定して接続され、保護プレートと収納トレイ（４）の間の角度は９０°であることを特徴とする、請求項１に記載の傘立て。
【請求項５】
前記収納トレイ（４）の両端にはいずれも位置決めプレート（１６）が溶接され、且つ右ブラケット（２）と左ブラケット（９）の表面にはいずれも位置決め孔（１５）が設けられ、位置決め孔（１５）は位置決めプレート（１６）のサイズに適合し、同時に収納トレイ（４）はその両端の位置決めプレート（１６）を介して順に右ブラケット（２）と左ブラケット（９）の位置決め孔（１５）の内部に挿入されることを特徴とする、請求項１に記載の傘立て。
【請求項６】
前記右ハンガー（６）と左ハンガー（８）は収納トレイ（４）を中心にした対称構造であり、且つ右ハンガー（６）と左ハンガー（８）の端部にはいずれもロックプレート（１８）が溶接され、同時に右ブラケット（２）と左ブラケット（９）の外側にはいずれもロック孔（１７）が設けられ、ロック孔（１７）はロックプレート（１８）のサイズに適合し、且つ右ハンガー（６）と左ハンガー（８）はいずれもその上部のロックプレート（１８）を介して順に右ブラケット（２）と左ブラケット（９）に設けられたロック孔（１７）の内部に係合され、右ハンガー（６）と左ハンガー（８）はいずれも金属材質で製造される「日」の字形の構造であることを特徴とする、請求項１に記載の傘立て。
【請求項７】
前記底部ベース（７）の内部両側にはいずれも位置決めフレーム（２１）が固定して接続され、且つ右ブラケット（２）の下端は位置決めフレーム（２１）の外側にセットされ、同時に固定ねじ（１９）は右ブラケット（２）の下端を貫通して位置決めフレーム（２１）の内部にねじ込まれ、左ブラケット（９）、底部ベース（７）の固定方法は右ブラケット（２）、底部ベース（７）の固定方法と同じであることを特徴とする、請求項１に記載の傘立て。
【考案の詳細な説明】
【技術分野】
【０００１】
本考案は生活用品技術分野に関し、具体的には組立て可能又は持ち運び易い傘立てに関する。
【背景技術】
【０００２】
雨傘、レインコートは人々が日常生活においてよく使う道具である。雨が降ると、人々は傘を持って外出し、ショッピングモールやオフィスなどの目的地に到着すると、傘に付いた水滴が床を濡らし滑りやすくなるため、傘を持ち込むのは好ましくない。傘を入口に無造作に置くだけでは乱雑に見えるため、多くのショッピングモールでは入口に傘立てが設置されているが、従来技術の傘立てはステンレスを溶接して作られており、占有面積が大きいため、晴天が続いても倉庫に収納しにくく、運搬や移動も不便である。
このため考案者らは組立てと持ち運びが可能な傘立てを提供し、上記課題を解決する。
【考案の概要】
【考案が解決しようとする課題】
【０００３】
本考案の目的は、上記技術背景で述べた欠点を解決するために、組立てと持ち運びが可能な傘立てを提供することである。
【課題を解決するための手段】
【０００４】
上記目的を実現するため、本考案は以下の技術的解決手段を提供する。組立てと持ち運びが可能な傘立てであって、広告取り付けフレームを含み、前記広告取り付けフレーム底部は横梁であり、且つ横梁の左側は左ブラケットに固定して接続され、同時に横梁の右側は右ブラケットに固定して接続され、右ブラケットの右上部には右収納箱が取り付けられ、且つ右ブラケットの左上部には左収納箱が取り付けられ、前記横梁の底部には収納トレイが取り付けられ、且つ収納トレイの右側には右ハンガーが取り付けられ、同時に収納トレイの左側には左ハンガーが取り付けられ、前記右ブラケットの底部は底部ベース内部の左側に固定して接続され、且つ左ブラケットの底部は底部ベース内部の右側に固定して接続され、同時に左ブラケット、右ブラケット、収納トレイ、２組の収納箱及び２組のハンガーは一つに組み合わされて傘立て本体を構成する。
好ましくは、前記広告取り付けフレームの底部に差し込み棒が取り付けられ、且つ横
【０００５】
梁の上端に差し込み孔が設けられ、差し込み孔は差し込み棒のサイズに適合し、同時に広告取り付けフレームはその底部の差し込み棒を介して横梁表面に設けられた差し込み孔の内部に挿入される。
【０００６】
好ましくは、前記右収納箱と左収納箱は横梁を中心とした対称構造であり、且つ右収納箱と左収納箱の端部にはいずれも係止プレートが溶接され、右ブラケットと左ブラケットの外側にはいずれも係止プレートポジションが設けられ、係止プレートポジションは係止プレートのサイズに適合し、右収納箱と左収納箱はいずれも上部の係止プレートを介してそれぞれ右ブラケットと左ブラケットの外側に設けられた係止プレートポジションの内部に係合される。
【０００７】
好ましくは、前記収納トレイは右ブラケットと左ブラケットの間に３組設置され、且つ隣接する２組の収納トレイの間の距離は等しく、収納トレイの両端にはいずれも保護プレートが固定して接続され、保護プレートと収納トレイの間の角度は９０°である。
【０００８】
好ましくは、前記収納トレイの両端にいずれも位置決めプレートが溶接され、且つ右ブラケットと左ブラケットの表面にいずれも位置決め孔が設けられ、位置決め孔は位置決めプレートのサイズに適合し、同時に収納トレイはその両端の位置決めプレートを介して順に右ブラケットと左ブラケットの位置決め孔の内部に挿入される。
【０００９】
好ましくは、前記右ハンガーと左ハンガーは収納トレイを中心とした対称構造であり、且つ右ハンガーと左ハンガーの端部にはいずれもロックプレートが溶接され、同時に右ブラケットと左ブラケットの外側にはいずれもロック孔が設けられ、ロック孔はロックプレートのサイズに適合し、且つ右ハンガーと左ハンガーはいずれもその上部のロックプレートを介して順に右ブラケットと左ブラケットの上部に設けられるロック孔の内部に係合され、右ハンガーと左ハンガーはいずれも金属材質で製造される「日」の字形の構造である。
【００１０】
好ましくは、前記底部ベース内部の両側にはいずれも位置決めフレームが固定して接続され、且つ右ブラケットの下端は位置決めフレームの外側にセットされ、同時に固定ねじは右ブラケットの下端を貫通して位置決めフレームの内部にねじ込まれ、左ブラケット、底部ベースの固定方法は右ブラケット、底部ベースの固定方法と同じである。
従来技術と比べて、本考案の有益な効果は以下のとおりである。
【００１１】
１、左ハンガーと右ハンガーに長い傘をかけることができ、３組の収納トレイには折り畳み傘を置くことができ、同時に右収納箱及び左収納箱の内部にはレインコートを入れることができるため、雨具を収納し、きちんと整頓することができる。
【００１２】
２、傘立て本体を長期間使用しない場合、収納トレイ、２組の収納箱及び２組のハンガーを２組のブラケットから取り外すことができ、且つ底部ベースを２組のブラケットから取り外すことができ、取り外した後は運搬及び移動が容易であり、同時に傘立て本体の容積を小さくする。
【００１３】
３、右ブラケットと左ブラケットには複数の係止プレートポジション、位置決め孔、ロック孔が均等に設置され、係止プレートを高さが異なる対応する係止プレートポジションに係合することで、収納箱を使用する高さを調節することができ、ハンガー、収納トレイの調節方法は上記と同じであるため、説明は省略する。収納トレイ、収納箱及びハンガーの高さ調節が容易である。
【図面の簡単な説明】
【００１４】
【図１】は本考案の構造の正面概略図である。
【図２】は本考案の構造図１の組立て図である。
【図３】は本考案の構造の広告取り付けフレームを左ブラケットに取り付けた概略図である。
【図４】は本考案の構造図１の正面図である。
【図５】は本考案の構造図１の側面図である。
【図６】は本考案の構造図２のＤの拡大概略図である。
【図７】は本考案の構造図２のＥの拡大概略図である。
【図８】は本考案の構造図２のＦの拡大概略図である。
【図９】は本考案の構造図２のＧの拡大概略図である。
【図１０】は本考案の構造図２のＨの拡大概略図である。
【図１１】は本考案の構造図２のＩの拡大概略図である。
【図１２】は本考案の構造図２のＪの拡大概略図である。
【図１３】は本考案の構造図１のＡの拡大概略図である。
【図１４】は本考案の構造図１のＢの拡大概略図である。
【図１５】は本考案の構造図１のＣの拡大概略図である。
【考案を実施するための形態】
【００１５】
以下に本考案の実施例における図面を組み合わせて、本考案の実施例における技術的解決手段を分かりやすく、完全に説明するが、明らかな点として、説明された実施例は単に本考案の実施例の一部にすぎず、全ての実施例ではない。本考案の実施例に基づき、当業者が創造的な労力を要することなく得られる他のすべての実施例は、いずれも本考案の保護範囲に属する。
【００１６】
図１−１５を参照し、本考案は技術的解決手段を提供する。組立てと持ち運びが可能な傘立てであって、広告取り付けフレーム１を含み、広告取り付けフレーム１の底部は横梁１１であり、且つ横梁１１の左側には左ブラケット９が固定して接続され、同時に横梁１１の右側は右ブラケット２に固定して接続され、右ブラケット２の右上部に右収納箱３が取り付けられ、且つ右ブラケット２の左上部に左収納箱１０が取り付けられ、右収納箱３と左収納箱１０は横梁１１を中心とした対称構造であり、且つ右収納箱３と左収納箱１０の端部にはいずれも係止プレート１３が溶接され、右ブラケット２と左ブラケット９の外側にはいずれも係止プレートポジション１４が設けられ、係止プレートポジション１４は係止プレート１３のサイズに適合し、右収納箱３と左収納箱１０はいずれもその上部の係止プレート１３によりそれぞれ右ブラケット２と左ブラケット９の外側に設けられた係止プレートポジション１４の内部に係合される。横梁１１の底部には収納トレイ４が取り付けられ、且つ収納トレイ４の右側に右ハンガー６が取り付けられ、同時に収納トレイ４の左側に左ハンガー８が取り付けられ、右ブラケット２の底部と底部ベース７の内部左側は固定して接続され、且つ左ブラケット９の底部と底部ベース７の内部右側は固定して接続され、同時に左ブラケット９、右ブラケット２、収納トレイ４，２組の収納箱及び２組のハンガーは一つに組み合わされて傘立て本体５を構成する。底部ベース７の内部両側にはいずれも位置決めフレーム２１が固定して接続され、且つ右ブラケット２の下端は位置決めフレーム２１の外側にセットされ、同時に固定ねじ１９は右ブラケット２の下端を貫通して位置決めフレーム２１の内部にねじ込まれ、左ブラケット９、底部ベース７の固定方法は右ブラケット２、底部ベース７との固定方法と同じである。広告取り付けフレーム１の底部に差し込み棒２０が取り付けられ、且つ横梁１１の上端に差し込み孔１２が設けられ、差し込み孔１２は差し込み棒２０のサイズに適合し、同時に広告取り付けフレーム１はその底部の差し込み棒２０を介して横梁１１の表面に設けられた差し込み孔１２の内部に挿入される。収納トレイ４は右ブラケット２と左ブラケット９の間に３組設置され、且つ隣接する２組の収納トレイ４の間の距離は等しく、収納トレイ４の両端にはいずれも保護プレートが固定して接続され、保護プレートと収納トレイ４の間の角度は９０°である。収納トレイ４の両端にはいずれも位置決めプレート１６が溶接され、且つ右ブラケット２と左ブラケット９の表面にはいずれも位置決め孔１５が設けられ、位置決め孔１５は位置決めプレート１６のサイズに適合し、同時に収納トレイ４はその両端の位置決めプレート１６を介して順に右ブラケット２と左ブラケット９の位置決め穴１５の内部に挿入される。右ハンガー６と左ハンガー８は収納トレイ４を中心とした対称構造であり、且つ右ハンガー６と左ハンガー８の端部にはいずれもロックプレート１８が溶接され、同時に右ブラケット２と左ブラケット９の外側にはいずれもロック孔１７が設けられ、ロック孔１７はロックプレート１８のサイズに適合し、且つ右ハンガー６と左ハンガー８はいずれもその上のロック���レート１８を介して順に右ブラケット２と左ブラケット９に設けられたロック孔１７の内部に接続され、右ハンガー６と左ハンガー８はいずれも金属材質で製造される「日」の字形の構造である。
【００１７】
図１−５に示すように、３組の収納トレイ４には折り畳み傘を置くことができ、２組の収納箱にはレインコートを収納でき、２組のハンガーは長い傘をかけることができ、収納トレイ４、収納箱及びハンガーの高さはいずれも調節することができ、具体的な調節方法は以下のとおりである。右ブラケット２と左ブラケット９にはいずれも複数の係止プレートポジション１４、位置決め孔１５及びロック孔１７が設置され，係止プレート１３は高さの異なる対応する係止プレートポジション１４に係合し収納箱を使用する高さを調節でき、ハンガー、収納トレイ４の調節方法は上記と同じであるため、説明は省略する。
【００１８】
図１及び図６−１５に示すように、傘立て本体５は左ブラケット９、右ブラケット２、収納トレイ４、２組の収納箱及び２組のハンガーを含み、収納トレイ４、２組の収納箱及び２組のハンガーは２組のブラケット上の組立て可能な構造であり、傘立て本体５を長期間使用しない場合、収納トレイ４、２組の収納箱及び２組のハンガーを２組のブラケットから取り外し、同時に底部ベース７と２組のブラケットを取り外すことができ、取り外した後に運搬及び移動が容易であり、同時に傘立て本体５の容積を小さくする。さらに底部ベース７の底板にはロック付きのキャスター（図示せず）が取り付けられ、傘立て本体５を移動しやすくする。
【００１９】
作業の要旨は以下のとおりである。組立てと持ち運びが可能な傘立てを使用する場合、傘立て本体５を組み立てる際、まず右ブラケット２、左ブラケット９及び底部ベース７にしっかり固定し、３組の収納トレイ４をその上の位置決めプレート１６を介して順に右ブラケット２、左ブラケット９に設けられた位置決め孔１５の内部に固定し、収納トレイ４を固定してから、右収納箱３、左収納箱１０を持って、右収納箱３、左収納箱１０をいずれもその上の係止プレート１３を介して右ブラケット２、左ブラケット９に設けられた係止プレートポジション１４に係合し、最後に右ハンガー６を持って、右ハンガー６のロックプレート１８を右ブラケット２のロック孔１７の内部に接続し、同時に左ハンガー８を持って、左ハンガー８のロックプレート１８を左ブラケット９のロック孔１７の内部に係合する。左ハンガー８と右ハンガー６は長い傘をかけるために使用され、３組の収納トレイ４には折り畳み傘を置くことができ、同時に右収納箱３及び左収納箱１０の内部にはレインコートを収納することができる。これは該組立てと持ち運びが可能な傘立ての組み立て作業の全工程である。
【００２０】
本考案の実施例を示し説明したが、当業者であれば、本考案の原理及び趣旨から逸脱することなくこれらの実施例に対して変更、修正、置換及び変形を行うことができ、本考案の範囲は添付の考案登録請求の範囲及びその等価物により限定される。
【符号の説明】
【００２１】
１、広告取り付けフレーム；２、右ブラケット；３、右収納箱；４、収納トレイ；５、傘立て本体；６、右ハンガー；７、底部ベース；８、左ハンガー；９、左ブラケット；１０、左収納箱；１１、横梁；１２、差し込み孔；１３、係止プレート；１４、係止プレートポジション；１５、位置決め孔；１６、位置決めプレート；１７、ロック孔；１８、ロックプレート；１９、固定ねじ；２０、差し込み棒；２１、位置決めフレーム。５、磁石
【図１】
0003233090.tif 000003
【図２】
0003233090.tif 000004
【図３】
0003233090.tif 000005
【図４】
0003233090.tif 000006
【図５】
0003233090.tif 000007
【図６】
0003233090.tif 000008
【図７】
0003233090.tif 000009
【図８】
0003233090.tif 000010
【図９】
0003233090.tif 000011
【図１０】
0003233090.tif 000012
【図１１】
0003233090.tif 000013
【図１２】
0003233090.tif 000014
【図１３】
0003233090.tif 000015
【図１４】
0003233090.tif 000016
【図１５】
0003233090.tif 000017